(57)【要約】【課題】組合せ計量計数装置に搭載が可能なコンパクトな搬送フィーダであり、しかも、キャンディやチョコレート等の種々の形状であっても、短い搬送路でもって一列縦隊に整列搬送することができる汎用性に優れた搬送フィーダを提供することを課題とする。【解決手段】物品の搬送方向と交差する方向の排出端から前記物品を並列状態で落下させる第一搬送面と、前記排出端の下部に設けられ、前記排出端から落下する物品を受け取って前記排出端に沿う方向に整列させる段差部と、前記段差部の端から前記排出端に沿う方向へ排出される前記物品を、再び前記搬送方向へ順次送り出して搬送する第二搬送面と、  前記第一搬送面と前記第二搬送面に振動を付与して前記物品を移動させる加振装置と、を備えた搬送フィーダである。【選択図】  図１
2020001866.tif 000002
【特許請求の範囲】
【請求項１】
外部から受け取った物品を振動により搬送する搬送フィーダであって、
前記物品の搬送方向と交差する方向に形成される排出端から前記物品を並列状態で落下させる第一搬送面と、
前記排出端よりも鉛直方向下側に前記物品を受ける面が設けられ、前記受ける面で受けた前記物品を前記排出端に沿う方向に整列させる段差部と、
前記段差部から前記排出端に沿う方向へ排出される前記物品を、再び前記搬送方向へ順次送り出して搬送する第二搬送面と、
を備えた搬送フィーダ。
【請求項２】
外部から受け取った物品を振動により搬送する搬送フィーダであって、
前記物品の搬送方向と交差する方向に形成され、かつ前記搬送フィーダの幅方向に前記物品が複数並ぶ長さを有する排出端を有する第一搬送面と、
前記排出端よりも鉛直方向下側に配置され、前記排出端に向けて傾斜する面を有する段差部と、
前記段差部に隣接し、前記搬送フィーダを鉛直方向上側から見た際、前記搬送フィーダの幅方向に対して、前記排出端とは異なる位置に前記物品を受け取る端部が形成される第二搬送面と、
を備えた搬送フィーダ。
【請求項３】
前記段差部が有する面は、前記排出端から落下する物品を受けて前記排出端の方向へ戻すとともに、戻された前記物品を前記第二搬送面へ案内する逆傾斜面である、請求項１又は２に記載の搬送フィーダ。
【請求項４】
前記段差部が有する面の面法線は、前記第二搬送面から前記第一搬送面に向けられている請求項１から３の何れかに記載の搬送フィーダ。
【請求項５】
前記排出端の鉛直方向下側には、前記逆傾斜面で前記排出端の方向へ戻された物品を受け止めて前記排出端に沿って案内する境界壁が形成される請求項３又は４に記載の搬送フィーダ。
【請求項６】
前記第一搬送面の両側には、前記物品を前記排出端に向けて案内するガイド壁がそれぞれ設けられ、それらのガイド壁の前記排出端に向かう角度が、それぞれ異なっている、
請求項１又は２に記載の搬送フィーダ。
【請求項７】
前記第二搬送面の横断面形状が、Ｕ字溝の一方の側壁を斜めに傾斜させた形状であり、斜めに傾斜させた傾斜壁の始端部には、前記段差部が形成されている、
請求項１又は２に記載の搬送フィーダ。
【請求項８】
前記第一搬送面と前記第二搬送面は、一体的に形成されており、前記第一搬送面の始端部から前記第二搬送面の終端部に向けて横幅が漸次広くなる形状である、
請求項１又は２に記載の搬送フィーダ。
【請求項９】
前記請求項１又は２に記載の搬送フィーダが放射状に配列された組み合わせ計量装置。
【請求項１０】
前記物品を供給する供給部から、前記物品が供給されるホッパまでの間に、前記請求項１又は２に記載の搬送フィーダが１つ配置された計量装置。
【発明の詳細な説明】
【技術分野】
【０００１】
本発明は、物品を整列させて所定個数ずつホッパ等に供給する搬送フィーダに関する。
【背景技術】
【０００２】
単体質量にバラツキのある物品を一定質量や一定個数に計量して排出する装置として、組合せ計量計数装置が知られている。特に最近では、袋詰め商品の内容量が一定質量であり、かつ個数も一定である商品に計量できる装置が望まれている。  
【０００３】
それに応えるために、例えば下記特許文献１に記載の組合せ秤では、例えばウインナーソーセージをホッパに一個ずつ供給するために、ウインナーが一列縦隊で搬送される搬送フィーダを開示している。    
【０００４】
この搬送フィーダは、振動によって物品を搬送するトラフの両側壁が、底辺の物品搬送面を挟んでＶ字状に広がるように形成されたもので、このＶ字状の側壁によって、ウインナー等を一列縦隊に整列させている。
【先行技術文献】
【特許文献】
【０００５】
【特許文献１】特開２０１４−２１５２３５号公報
【発明の概要】
【発明が解決しようとする課題】
【０００６】
ところが、市場では、ウインナーソーセージに止まらず、例えばキャンディやチョコレート等の商品、さらには錠剤や種々の部品等も一定個数ずつホッパに供給したいという要望がある。しかし、これまでの搬送フィーダでは、物品の形状に応じてトラフを設計し直さなければならない問題がある。
【０００７】
また、物品を整列搬送させる汎用性の高い搬送フィーダとしては、螺旋状の振動トラフでもって物品を一列縦隊に整列させるパーツフィーダが知られている。しかし、このパーツフィーダを組合せ計量計数装置に搭載すると、装置全体が大きくなり過ぎて、実用に供することができない問題がある。
【０００８】
本発明は、こうした問題に鑑みて開発したもので、組合せ計量計数装置に搭載が可能なコンパクトな搬送フィーダであり、しかも、キャンディやチョコレート等の種々の形状であっても、短い搬送路でもって一列縦隊に整列搬送することができる新たな搬送フィーダを提供することを課題とする。
【課題を解決するための手段】
【０００９】
上記課題を解決するために、本発明に係る搬送フィーダは、
外部から受け取った物品を振動により搬送する搬送フィーダであって、
前記物品の搬送方向と交差する方向に形成される排出端から前記物品を並列状態で落下させる第一搬送面と、
前記排出端よりも鉛直方向下側に前記物品を受け取る面が設けられ、前記受け取る面で受け取った前記物品を前記排出端に沿う方向に整列させる段差部と、
前記段差部から前記排出端に沿う方向へ排出される前記物品を、再び前記搬送方向へ順次送り出して搬送する第二搬送面と、
を備えたものである。
【００１０】
換言すれば、
外部から受け取った物品を振動により搬送する搬送フィーダであって、
前記物品の搬送方向と交差する方向に形成され、かつ前記搬送フィーダの幅方向に前記物品が複数並ぶ長さを有する排出端を有する第一搬送面と、
前記排出端よりも鉛直方向下側に配置され、前記排出端に向けて傾斜する面を有する段差部と、
前記段差部に隣接し、前記搬送フィーダを鉛直方向上側から見た際、前記搬送フィーダの幅方向に対して、前記排出端とは異なる位置に前記物品を受け取る端部が形成される第二搬送面と、
を備えたものである。
【００１１】
これにより、第一搬送面でパラレルに搬送されてきた物品が、段差部に落下すると、その段差部において、第一搬送面の搬送方向と交差する方向に順次送り出されてシリアルな物品となって第二搬送面に送り出されるから、第二搬送面では、物品が一列縦隊となって搬送される。したがって、ウインナーのように一方向に長い物品でなくても、短い搬送フィーダで縦列搬送することができる汎用性の高い搬送フィーダとすることができる。
【００１２】
また、前記物品を受ける面は、前記排出端から落下する物品を受けて前記排出端の方向へ戻すとともに、戻された前記物品を前記第二搬送面へ案内する逆傾斜面である。すなわち、前記段差部が有する面の面法線は、前記第二搬送面から前記第一搬送面に向けられていることを特徴とする。
【００１３】
これにより、例えばキャンディ、チョコレート、錠剤等のように、丸まった物品であっても、この段差部において、直列に並び替えて第二搬送面へ送り出すことができる。これに対し、特許文献１に記載のフィーダでは、このような丸まった商品を整列させることはできない。
【００１４】
また、前記排出端の鉛直方向下側には、前記逆傾斜面で前記排出端の方向へ戻された物品を受け止めて前記排出端に沿って案内する境界壁が設けられていることを特徴とする。
【００１５】
これにより、逆傾斜面で戻された物品を前記排出端に沿わせて第二搬送面へ案内することができるから、段差部から排出される物品を一列に整列させることができる。
【００１６】
また、前記第一搬送面の両側には、前記物品を前記排出端に向けて案内するガイド壁がそれぞれ設けられ、それらのガイド壁の前記排出端に向かう角度が、それぞれ異なっていることを特徴とする。
【００１７】
これにより、第一搬送面で搬送される物品には、ガイド壁との相対的な距離に応じて速度差が生じるため、第一搬送面の出口である排出端が狭くなっても、物品は滞留せずに、円滑に排出されていく。
【００１８】
前記第二搬送面の横断面形状が、Ｕ字溝の一方の側壁を斜めに傾斜させた形状であり、斜めに傾斜させた傾斜壁の始端部には、前記段差部が形成されていることを特徴とする。
【００１９】
これにより、複数の物品がＵ字溝において重なり合ったとしても、傾斜壁に接する物品と、鉛直壁に接する物品との間で、速度差が生じるから、重なり合った物品は、漸次崩されて一列に並んで搬送されていく。
【００２０】
前記第一搬送面と前記第二搬送面は、一体的に形成されており、前記第一搬送面の始端部から前記第二搬送面の終端部に向けて横幅が漸次広くなる形状である。
【００２１】
これにより、物品を四方に分散させる分散フィーダの周りに、複数の搬送フィーダを放射状に配列することが可能になるから、この搬送フィーダを組合せ計量装置用の搬送フィーダとして使用することができる。
【００２２】
また、前記物品を供給する上流の供給部から、前記物品が供給される下流のホッパまでの間に、この搬送フィーダを配置することによって、組合せ計量装置以外の計量装置用の搬送フィーダとしても使用することができる。
【発明の効果】
【００２３】
本発明によれば、第一搬送面によってパラレルで搬送されてきた物品を段差部においてシリアルな物品に並び替えて第二搬送面へ送り出すことができるから、搬送距離が短くても、一列縦隊の物品に並び替えてホッパ等に供給することができる。したがって、一方向に長い物品でなくても整列させることができるから、汎用性に優れた搬送フィーダを市場に提供することができる。
【図面の簡単な説明】
【００２４】
【図１】一実施形態としての搬送フィーダの要部外観斜視図。
【図２】図１の搬送フィーダを搭載した組合せ計量計数装置の要部外観斜視図。
【図３】図１のＡ−Ａ矢視方向の横断面図。
【発明を実施するための形態】
【００２５】
以下、本発明の一実施形態に係る搬送フィーダを図面に基づいて説明する。なお、ここに示す実施形態は、本発明の技術的範囲を限定するものではない。
【００２６】
図１は、搬送フィーダの要部外観図を示したもので、この図では、後述の加振装置Ｂを省略している。この図において、搬送フィーダ１は、ステンレス板を折り曲げて形成されたもので、物品Ｍの搬送方向Ｆ１と交差する方向Ｆ２の排出端Ｅから物品Ｍを並列状態で落下させる第一搬送面２と、排出端Ｅの下部に設けられ、その排出端Ｅから落下する物品Ｍを受け取って排出端Ｅに沿う方向Ｆ２に整列させる段差部３と、段差部３から排出端Ｅに沿う方向Ｆ２へ排出される物品Ｍを、再び搬送方向Ｆ１へ送り出して搬送する第二搬送面４と、第一搬送面２と第二搬送面４に振動を付与して物品Ｍを移動させる加振装置Ｂとを備えている。
【００２７】
前記段差部３は、排出端Ｅから落下する物品Ｍを受け取って排出端Ｅの方向へ戻すとともに、戻された物品Ｍを第二搬送面４へ案内する逆傾斜面３１と、その逆傾斜面３１で排出端Ｅの方向へ戻された物品Ｍを排出端Ｅに沿って案内する境界壁３２とを有している。
これにより、第一搬送面２によってパラレルで搬送されてきた物品Ｍを段差部３においてシリアルな物品Ｍに並び替えて第二搬送面４へ送り出すことができる。
【００２８】
また、第一搬送面２の両側には、物品Ｍを排出端Ｅに向けて案内する第一ガイド壁２１と第二ガイド壁２２とが設けられ、それらのガイド壁２１、２２の排出端Ｅに向かう角度が、それぞれ異なっている。すなわち、第一ガイド壁２１と排出端Ｅとの交差角度は、鋭角であるのに対し、第二ガイド壁２２と排出端Ｅとの交差角度は、直角又は鈍角となっている。これにより、第二ガイド壁２２に近い物品Ｍほど搬送速度が速くなるため、出口である排出端Ｅが狭くなっても、物品Ｍは、第一搬送面２上で滞留せずに、スムーズに排出されていく。
【００２９】
また、第二搬送面４の横断面形状は、図３に示すように、Ｕ字溝４０の一方の側壁４１を斜めに傾斜させた形状であり、斜めに傾斜させた傾斜壁４１の始端部には、図１の段差部３が形成されている。すなわち、Ｕ字溝４０の両側は、鉛直に立ち上がった鉛直壁４２と、前述の傾斜壁４１とで形成されている。これにより、Ｕ字溝４０で物品Ｍが重なり合ったとしても、重なり合った物品Ｍに速度差が生じるため、その重なりは、次第に崩れてＵ字溝４０に沿って一列縦隊になる。なお、このＵ字溝４０の幅と深さは、物品Ｍの大きさに応じて決められている。
【００３０】
また、第一搬送面２と第二搬送面４は、一体化されて、第一搬送面２の始端部から第二搬送面４の終端部に向けて横幅が漸次広くなるように成形されている。これは、図２に示すように、中央の分散フィーダＤの周りに搬送フィーダ１を放射状に配列するときに、隣接する搬送フィーダ１の間から物品Ｍが落下しないようにしたものである。そのために、一体化された第一搬送面２と第二搬送面４の一方の側壁１１には、隣に配置される搬送フィーダ１の他方の側壁１２に被さる覆い部１３が設けられている。
【００３１】
図２は、図１の搬送フィーダ１を組合せ計量計数装置に搭載した場合の要部外観斜視図を示す。この図では、中央手前の第一搬送面２と第二搬送面４とからなるトラフ１０を除去して、前述の加振装置Ｂを露出させている。
【００３２】
この加振装置Ｂは、前後の平行板バネで支持された揺動プレート１４を電磁石で断続的に引き付けて揺動させる周知構成のものである。また、トラフ１０底面の取り付け部材１６（図１参照）が、楕円形の連結金具１５を介して揺動プレート１４に着脱自在に固定されるようになっている。これにより、加振装置Ｂが駆動されれば、第一搬送面２と第二搬送面４とからなるトラフ１０が振動して、トラフ１０上の物品Ｍが搬送方向Ｆ１へ搬送されるようになっている。
【００３３】
図２において、装置中央上部には、円錐形状の分散フィーダＤが配置され、その周りに２４台の搬送フィーダ１が放射状に配列されている。この組合せ計量計数装置は、４種類の異なる物品を組合せて一定質量と一定個数の物品に計量計数するものである。そのために、中央の分散フィーダＤは、４分割されて、それらの境目には、パーテーションＰが設けられている。また、分割された扇状の各分散フィーダは、それぞれ独立に駆動制御されるようになっている。
【００３４】
また、各搬送フィーダ１の境界に位置する分散フィーダＤの周縁部には、分散フィーダＤ上の図示しない物品を各搬送フィーダ１に分岐させる三角錐状の突起ｄ１が設けられており、さらに各搬送フィーダ１に対応する箇所には、下向きに傾斜する舌片ｄ２がそれぞれ設けられている。この舌片ｄ２は、第一搬送面２上で物品Ｍが滞留した場合でも、物品を分散フィーダＤの下面に潜り込ませないようにするものである。
【００３５】
各搬送フィーダ１は、前述のように、覆い部１３が隣の搬送フィーダ１の側壁１２に非接触で覆い被さるように配列されている。そして、プールホッパＰＨが空になれば、搬送フィーダ１から所定個数の物品が排出されるような振動強度と振動時間でもって駆動制御されるようになっている。
【００３６】
また、各搬送フィーダ１の先端には、プールホッパＰＨがそれぞれ配置され、その下段には、計量ホッパＷＨがそれぞれ配置されて、組合せ選択によって計量ホッパＷＨから物品が排出されると、上段のプールホッパＰＨから下段の計量ホッパＷＨへ物品が供給されるようになっている。また、プールホッパＰＨが空になれば、搬送フィーダ１が駆動されて、プールホッパＰＨに所定個数の物品が供給されるようになっている。こうしたホッパの構成とそれらの駆動制御は、周知であるため、ここでは、それらの説明は、省略する。
【００３７】
次に、図１に基づいて、搬送フィーダ１を加振させた場合の作用について説明する。
分散フィーダＤから排出された物品Ｍは、第一搬送面２に流れ込んでそこに止まるが、加振装置Ｂが駆動されると、第一搬送面２上の物品は、排出端Ｅへ向けて移動していく。このとき、第一ガイド壁２１に沿って移動する物品Ｍと、第二ガイド壁２２に沿って移動する物品Ｍとでは、速度差が生じるから、出口幅の狭い排出端Ｅであっても、物品Ｍは、円滑に排出されていく。
【００３８】
排出端Ｅから排出された物品Ｍは、段差部３で受け止められる。このとき、物品Ｍは、段差部３の逆傾斜面３１で排出端Ｅ側へ押し戻されて境界壁３２に沿って整列する。引き続き搬送フィーダ１が振動すると、逆傾斜面３１が、Ｕ字溝４０の方向へ傾斜しているため、そこで整列した物品Ｍは、Ｕ字溝４０へ送り出された後、直角に向きを変えて、Ｕ字溝４０に沿って搬送されていく。したがって、Ｕ字溝４０には、物品Ｍが一列縦隊に並ぶから、加振装置Ｂが適宜に駆動制御されることにより、搬送フィーダ１からプールホッパＰＨへ所定個数の物品が排出されていく。
【００３９】
また、組合せ選択されなかった搬送フィーダ１にも、上流の分散フィーダＤから物品Ｍが供給されるから、そうした搬送フィーダ１の第一搬送面２には、物品Ｍが滞留し、時にはオーバーフローすることがある。そうした場合は、溢れた物品Ｍは、第一ガイド壁２１と覆い部１３とを乗り越えて、物品Ｍの少ない搬送フィーダ１の方へ移動していく。
【００４０】
また、第一搬送面２で滞留した物品Ｍが、第二搬送面４に流れ込んでＵ字溝４０で重なり合ったとしても、Ｕ字溝４０の傾斜壁４１に接する物品Ｍと、鉛直壁４２に接する物品Ｍのそれぞれの搬送速度が異なるから、重なり合った物品Ｍは、次第に一列に並び替えられて搬送されていく。したがって、搬送フィーダ１からプールホッパＰＨへの所定個数ずつ物品を供給することができる。
【００４１】
以上、本発明の一実施形態について説明したが、これに限定されるものではなく、各請求項に記載の範囲において、他の構成も採用可能である。例えば、前述の実施形態では、段差部３を一段としたが、これを上流と下流にそれぞれ設けても良い。また、加振装置Ｂを電磁振動装置で構成したが、これに代えて、エアー駆動式としても良い。
【００４２】
さらに、この実施形態の搬送フィーダ１を、複数の搬送フィーダが放射状に配列された円形の組合せ計量装置用のフィーダとしたが、これには限定される、例えば各搬送フィーダが並列に配列された直線配列の組合せ計量装置用のフィーダであっても良い。さらに、一つの搬送ラインを見れば、物品を蓄えて排出する上流の供給部から、下流の計量ホッパへ物品を搬送する搬送フィーダとして捉えられるので、組合せ計量装置に限らず、上流の供給部から排出される物品を下流の計量ホッパへ搬送して計量する通常の計量装置にも使用可能である。
【符号の説明】
【００４３】
１      搬送フィーダ
２      第一搬送面
３      段差部
４      第二搬送面
２１    第一ガイド壁
２２    第二ガイド壁
３１    逆傾斜面
３２    境界壁
４０    Ｕ字溝
４１    傾斜壁
４２    鉛直壁
Ｅ      排出端
Ｍ      物品
Ｆ１    物品の搬送方向
Ｆ２    排出端に沿う方向
Ｂ      加振装置
【図１】
2020001866.tif 000003
【図２】
2020001866.tif 000004
【図３】
2020001866.tif 000005